(57)【要約】【課題】薬液の汚損、変質のおそれをなくし、噴霧操作を簡単にする。【解決手段】ノズル孔３１ｃを有するノズル体３０を内キャップ２０上に搭載する。内キャップ２０には、逆止弁として作動する弁体２５を介して開閉するエア流入口２７、２７…を設け、エア流入口２７、２７…を介して形状復元用のエアを容器１０内に流入させる。【選択図】  図２
2004290868.tif 000002
【特許請求の範囲】
【請求項１】
弾性変形可能な容器の口部に装着する内キャップと、該内キャップに搭載し、薬液噴霧用のノズル孔を先端に有するノズル体と、該ノズル体に連結するパイプとを備えてなり、前記内キャップには、形状復元用のエアを容器に流入させる逆止弁付きのエア流入口を形成することを特徴とする点鼻薬容器の薬液噴霧機構。
【請求項２】
前記ノズル体は、前記内キャップに対して昇降可能に搭載し、昇降に伴って前記エア流入口を開閉することを特徴とする請求項１記載の点鼻薬容器の薬液噴霧機構。
【請求項３】
前記ノズル体は、前記内キャップ、ノズル体にそれぞれ形成する係合リングを介して外れ止めすることを特徴とする請求項１または請求項２記載の点鼻薬容器の薬液噴霧機構。
【請求項４】
前記内キャップ、ノズル体を覆うねじ式の外キャップを設け、該外キャップは、取外し時に前記ノズル体を連動して上昇させることを特徴とする請求項２または請求項３記載の点鼻薬容器の薬液噴霧機構。
【請求項５】
前記外キャップは、前記ノズル体の係合部に係脱する係合爪を有することを特徴とする請求項４記載の点鼻薬容器の薬液噴霧機構。
【請求項６】
前記パイプには、逆止弁機構を付設することを特徴とする請求項１ないし請求項５のいずれか記載の点鼻薬容器の薬液噴霧機構。
【発明の詳細な説明】
【０００１】
【発明の属する技術分野】
この発明は、鼻孔内に薬液を噴霧する点鼻薬容器の薬液噴霧機構に関する。
【０００２】
【従来の技術】
鼻孔内に薬液を噴霧する点鼻薬容器が広く使用されている（たとえば実開平２−４５９５５号公報）。
【０００３】
このものは、弾性変形可能な容器の口部にノズル体を装着し、ノズル体の先端にノズル孔が開口されている。また、ノズル体には、容器の底部に到達するパイプが連結されており、パイプの上端は、ノズル孔に連通している。そこで、このものは、ノズル体の先端部を鼻孔に挿入し、容器を手で押し潰すようにして変形させると、容器内の薬液をノズル孔から鼻孔内に霧状に噴霧させることができる。なお、ノズル体は、パイプを介して供給される薬液とともに、容器内のエアをも併せてノズル孔から噴出させるように、パイプの連結部にエアの流通路が形成されている。
【０００４】
【発明が解決しようとする課題】
かかる従来技術によるときは、弾性変形可能な容器は、元の形状に復元する際に、ノズル体のノズル孔と、ノズル体に連結するパイプとを介して外部から形状復元用のエアが流入するから、ノズル体を鼻孔に挿入して複数回の噴霧操作を繰り返すと、鼻孔内の不潔な分泌液などが容器内に吸引され、薬液を汚損したり、変質させたりするおそれがある。また、これを避けるために、ノズル体を鼻孔に挿入して容器を変形させ、ノズル体を鼻孔から抜去して容器を復元させるとすれば、薬液の噴霧操作が著るしく煩雑となり、たとえば小児などに正しく使用させることが極めて難しいという問題があった。
【０００５】
そこで、この発明の目的は、かかる従来技術の問題に鑑み、ノズル体を搭載する内キャップに逆止弁付きのエア流入口を形成することによって、薬液の汚損などのおそれがなく、誰れでも簡単に薬液の噴霧操作が可能な点鼻薬容器の薬液噴霧機構を提供することにある。
【０００６】
【課題を解決するための手段】
かかる目的を達成するためのこの発明の構成は、弾性変形可能な容器の口部に装着する内キャップと、内キャップに搭載し、薬液噴霧用のノズル孔を先端に有するノズル体と、ノズル体に連結するパイプとを備えてなり、内キャップには、形状復元用のエアを容器に流入させる逆止弁付きのエア流入口を形成することをその要旨とする。
【０００７】
なお、ノズル体は、内キャップに対して昇降可能に搭載し、昇降に伴ってエア流入口を開閉することができ、内キャップ、ノズル体にそれぞれ形成する係合リングを介して外れ止めすることができる。
【０００８】
さらに、内キャップ、ノズル体を覆うねじ式の外キャップを設け、外キャップは、取外し時にノズル体を連動して上昇させることができ、外キャップは、ノズル体の係合部に係脱する係合爪を有することができる。
【０００９】
なお、パイプには、逆止弁機構を付設してもよい。
【００１０】
【作用】
かかる発明の構成によるときは、弾性変形可能な容器は、内キャップに形成するエア流入口を介して形状復元用のエアが外部から流入するため、ノズル体の先端部を鼻孔内に挿入したまま薬液の噴霧操作を繰り返しても、鼻孔内の不潔な分泌液などを吸引するおそれがなく、容器内の薬液が汚損されたり、変質したりするおそれがない。なお、エア流入口は、逆止弁付きであるから、容器を押し潰すように変形させて薬液を噴霧するとき、容器内のエアが不必要に流出することがない。ただし、ノズル体に連結するパイプは、容器内の薬液の全量を使い切ることができるように、容器の底部の最深部にまで到達させることが好ましい。
【００１１】
内キャップに対して昇降可能に搭載するノズル体は、上昇時にエア流入口を開くことにより、正規の使用状態となる。また、下降時にエア流入口を閉じることにより、不使用時に容器が傾いたり倒れたりしても、エア流入口を介して容器内の薬液が外部に流出したりするおそれがない。
【００１２】
ノズル体は、内キャップ、ノズル体にそれぞれ形成する係合リングを係合させ、内キャップから外れ止めすることができる。すなわち、昇降可能なノズル体は、双方の係合リングを介して上昇限が規定され、使用状態に位置決めすることができる。
【００１３】
ねじ式の外キャップは、取外し時にノズル体を連動して上昇させ、ノズル体を使用状態に自動的にセットすることができる。なお、外キャップは、それを装着することによりノズル体を下降させ、不使用状態に自動的に戻すことができる。ただし、外キャップは、容器の口部に対してねじ結合させるものとする。また、このような外キャップの動作は、ノズル体の係合部に係脱する係合爪を外キャップに形成することにより、簡単に実現可能である。たとえば円形に配列する複数の係合爪は、外側に弾性変形することにより、ノズル体の周方向に形成するリング状の係合部に対して円滑に係合させ、係合を外すことができるからである。
【００１４】
パイプに逆止弁機構を付設すれば、パイプ内の薬液が容器に逆流するおそれがなく、エア流入口を介して形状復元用のエアを容器内に一層確実に流入させることができる。
【００１５】
【発明の実施の形態】
以下、図面を以って発明の実施の形態を説明する。
【００１６】
点鼻薬容器の薬液噴霧機構は、容器１０の口部１１に装着する内キャップ２０と、内キャップ２０上に搭載するノズル体３０と、ノズル体３０に連結するパイプ４１とを備えてなる（図１、図２）。なお、容器１０には、ねじ式の外キャップ５０が付属している。
【００１７】
容器１０は、たとえば低密度ポリエチレンのような適切な弾性を有するプラスチック材料により一体成形されており、手指により胴部１４を横方向に押し潰すようにして簡単に弾性変形させることができる。なお、容器１０の口部１１の外周には、内キャップ２０用、外キャップ５０用の雄ねじ部１２、１３が上下２段に形成されている。
【００１８】
内キャップ２０は、下部のスカート部２１の上面に小径のガイド筒２２、大径の規制筒２３を同軸状に突設し、全体として回転体形状に形成されている。スカート部２１の内面には、容器１０の雄ねじ部１２に適合する雌ねじ部２１ａが形成され、容器１０の口部１１に適合するガイドリング２４が天面に垂設されている。ガイド筒２２の上部は、規制筒２３より高く形成され、下部は、小径に絞られた上、スカート部２１の天面を上から下に貫通してガイドリング２４よりさらに僅かに下向きに突出している。ガイド筒２２の上端部には、テーパ状の開拡部２２ａが形成され（図２、図３）、上端部外周には、規制筒２３より高い位置に係合リング２２ｂが形成されている。また、ガイド筒２２、規制筒２３の間には、上部が広く、下部が狭い段付きのリング状の隙間２６が形成されており、隙間２６の底部には、複数のエア流入口２７、２７…が円形に配列して形成されている（図２、図４）。
【００１９】
スカート部２１の天面から下側に突出するガイド筒２２の外周には、弁体２５を装着するリング状の凹部２２ｃが形成されている（図１、図３）。弁体２５は、たとえば耐薬品性の柔軟なブチルゴムや低密度ポリエチレンなどにより、外フランジ付きのリング状に形成されている。弁体２５は、その外フランジを介してエア流入口２７、２７…を下側から閉じ、外フランジが下側に撓むことにより、エア流入口２７、２７…を一方向に開くことができる（図３の二点鎖線）。すなわち、弁体２５は、容器１０の形状復元用のエアがエア流入口２７、２７…を介して容器１０内に流入することを許容し、容器１０内のエアが外部に流出することを阻止する逆止弁を構成しており、エア流入口２７、２７…は、逆止弁付きとなっている。
【００２０】
ノズル体３０は、上部のノズル部３１に対し、下部の２重のスカート部３２、３３を付設し、全体として回転体形状に形成されている（図１、図２）。
【００２１】
ノズル部３１の軸心部には、パイプ４１の上端部を挿入して連結する縦孔３１ａが形成されており（図２、図５）、縦孔３１ａの内面には、複数条のエア通路３１ｂ、３１ｂ…が付随して形成されている。なお、ノズル部３１の頂部には、外向きの凹部３１ｄを伴うノズル孔３１ｃが開口されており、ノズル孔３１ｃは、縦孔３１ａ内のパイプ４１、エア通路３１ｂ、３１ｂ…に連通している。ただし、縦孔３１ａの上端には、パイプ４１の上端が当接するストッパ３１ｅ、３１ｅ…が形成されており、パイプ４１の上端をストッパ３１ｅ、３１ｅ…に突き当てても、エア通路３１ｂ、３１ｂ…は、ストッパ３１ｅ、３１ｅ…の間の隙間を介してノズル孔３１ｃに連通するものとする。また、エア通路３１ｂ、３１ｂ…の下部には、下向きの共通のテーパ部３１ｆを介し、内キャップ２０の上向きの開拡部２２ａに適合するフレア３１ｇが形成されている（図２、図３）。
【００２２】
内側のスカート部３３の内面には、内キャップ２０の係合リング２２ｂに係合する係合リング３３ａが形成されており、内側のスカート部３３の下端には、内向き、外向きに開くフレア３３ｂ、３３ｃが形成されている。そこで、ノズル体３０は、内キャップ２０のガイド筒２２、ノズル体３０の内側のスカート部３３を介し、内キャップ２０に対し、昇降可能に搭載されている。なお、ノズル体３０の下降限は、内キャップ２０の規制筒２３の上端がノズル体３０の外側のスカート部３２の天面に当接することにより規定され（図２の左半部）、このとき、ノズル体３０のフレア３３ｂ、３３ｃは、内キャップ２０の隙間２６の下部にまで進入し、内キャップ２０のエア流入口２７、２７…を閉じることができる。また、このとき、ノズル体３０のフレア３１ｇは、内キャップ２０の開拡部２２ａに進入し、開拡部２２ａの内面に接触する。
【００２３】
一方、ノズル体３０は、内キャップ２０、ノズル体３０にそれぞれ形成する係合リング２２ｂ、３３ａを介して外れ止めされている。すなわち、ノズル体３０の上昇限は、ノズル体３０の係合リング３３ａが内キャップ２０の係合リング２２ｂに対して下側から係合することにより規定され（図２の右半部、図３）、このとき、ノズル体３０のフレア３３ｂ、３３ｃは、隙間２６の幅広の上部に位置してエア流入口２７、２７…を開くことができる。
【００２４】
なお、内キャップ２０のガイド筒２２の外径は、ノズル体３０の昇降に伴う係合リング３３ａの移動ストロークｄの中間において緩やかな最大径を有し（図２）、したがって、ノズル体３０は、その下降限、上昇限の双方において軽くロックするようにしてセットされる。また、ノズル部３１の基部外周には、下側に凹条３４ａを伴うリング状の係合部３４が形成されている（図３）。
【００２５】
パイプ４１は、内キャップ２０のガイド筒２２内を上下に貫通しており、パイプ４１の下端には、逆止弁機構４２が付設されている（図１、図６）。ただし、図６（Ａ）は、要部拡大縦断面図、同図（Ｂ）は、同図（Ａ）のＺ−Ｚ線矢視断面図である。逆止弁機構４２は、パイプ４１の下端に装着するケース４２ａにボール４２ｂを内装して構成されており、パイプ４１の下端は、逆止弁機構４２を介して容器１０の底部の最深部に到達している。なお、ボール４２ｂは、ケース４２ａ内に上下動自在に収納されており、ケース４２ａの上部内周には、ストッパリブ４２ｅ、４２ｅ…を介して薬液の流通溝４２ｄ、４２ｄ…が形成されている。ケース４２ａの先端の開口部４２ｃを介して薬液がパイプ４１側に流入すると、ボール４２ｂが浮上するが、パイプ４１側から薬液が流下すると、ボール４２ｂが下降して開口部４２ｃを閉じ、逆止弁として作動する。
【００２６】
外キャップ５０は、内キャップ２０、ノズル体３０を覆うドーム状に形成されている（図１、図２）。外キャップ５０の下部内面には、容器１０の下部の雄ねじ部１３に適合する雌ねじ部５１が形成されており、外キャップ５０の頂面には、内向きのフック５２ａを有する係合爪５２、５２…が円形に配列して垂設されている（図１、図７）。また、外キャップ５０の頂面中央部には、突栓部５３が形成されている。
【００２７】
外キャップ５０を締付け方向に回転して容器１０の口部１１に装着すると（図２の左半部二点鎖線）、係合爪５２、５２…の下端のフック５２ａ、５２ａ…がノズル体３０の外周の係合部３４に上から係合してノズル体３０を下降限にまで押し下げ、最終的に、各フック５２ａが係合部３４を上から下に乗り越えて凹条３４ａに嵌まり込む。また、このとき、外キャップ５０の突栓部５３は、ノズル体３０の凹部３１ｄを閉じてノズル孔３１ｃを閉じ、ノズル体３０のフレア３３ｂ、３３ｃは、内キャップ２０のエア流入口２７、２７…を閉じて容器１０を外気から封止する。
【００２８】
次いで、外キャップ５０を緩め方向に回転すると、ノズル体３０は、係合爪５２、５２…のフック５２ａ、５２ａ…を介し、外キャップ５０の上昇に連動して上昇し、上昇限に自動的にセットされる。外キャップ５０をなおも緩め方向に回転させると、フック５２ａ、５２ａ…が係合部３４から外れ、外キャップ５０を容器１０から取り外すとともに、ノズル体３０の凹部３１ｄ、ノズル孔３１ｃを開口させることができる。なお、ノズル体３０の係合部３４は、ノズル体３０の全周にリング状に連続して形成されている。
【００２９】
外キャップ５０を取り外し、ノズル体３０のノズル部３１の先端部を鼻孔に挿入して容器１０を押し潰すように弾性変形させると、弁体２５を介してエア流入口２７、２７…が閉じて容器１０の内圧が上昇するため、容器１０内の薬液は、パイプ４１を介してノズル孔３１ｃから噴出し、同時に、容器１０内のエアも、ガイド筒２２、エア通路３１ｂ、３１ｂ…を介してノズル孔３１ｃから噴出し、薬液を鼻孔内に霧状に噴霧させることができる。
【００３０】
つづいて、容器１０に加える力を小さくして容器１０の形状を復元させると、形状復元用のエアがエア流入口２７、２７…を介して外部から容器１０内に流入する（図３右半部の矢印方向）。なお、このとき、弁体２５は、外フランジが容器１０側に撓むことによりエア流入口２７、２７…を開き（同図の二点鎖線）、パイプ４１の下端の逆止弁機構４２は、パイプ４１内の薬液の逆流を阻止する。そこで、容器１０を再び弾性変形させると、ノズル孔３１ｃを介して薬液を再噴霧させることができ、以下同様にして、噴霧操作を繰返し実行することができる。
【００３１】
以上の説明において、内キャップ２０に形成するエア流入口２７、２７…は、ガイド筒２２の外周に沿う扇形に形成してもよい（図８）。また、エア流入口２７、２７…は、図４、図８に拘らず、弁体２５を介して一斉に開閉し得る限り、任意の形状にして任意の個数を形成することができる。なお、弁体２５の外フランジは、上下の撓み性を向上させ、エア流入口２７、２７…の密閉性を高めるために、上面に浅いリング状の凹溝２５ａを設けることが好ましい（図１）。
【００３２】
【発明の効果】
以上説明したように、この発明によれば、逆止弁付きのエア流入口を内キャップに形成することによって、エア流入口は、容器の形状を復元させる形状復元用のエアを容器に流入させることができるから、パイプ内の薬液が容器内に逆流するおそれがなく、したがって、薬液の汚損や変質などを生じることなく、誰れでも簡単に薬液の噴霧操作が可能であるという優れた効果がある。
【図面の簡単な説明】
【図１】全体構成分解斜視図
【図２】要部拡大縦断面説明図
【図３】図２の要部拡大説明図
【図４】図２のＸ矢視相当図
【図５】要部拡大斜視図
【図６】要部拡大説明図
【図７】図２のＹ−Ｙ線矢視相当断面図
【図８】他の実施の形態を示す図４相当図
【符号の説明】
１０…容器
１１…口部
２０…内キャップ
２２ｂ…係合リング
２７…エア流入口
３０…ノズル体
３１ｃ…ノズル孔
３３ａ…係合リング
３４…係合部
４１…パイプ
４２…逆止弁機構
５０…外キャップ
５２…係合爪
【図１】
2004290868.tif 000003
【図２】
2004290868.tif 000004
【図３】
2004290868.tif 000005
【図４】
2004290868.tif 000006
【図５】
2004290868.tif 000007
【図６】
2004290868.tif 000008
【図７】
2004290868.tif 000009
【図８】
2004290868.tif 000010